(57)【要約】【課題】デザイン性を損なうことなく且つ紫外線測定性能を不要に低下させることのない簡素な構造の紫外線測定装置を実現する。【解決手段】筐体２１０には、所定面積の開口部２０１が形成されている。筐体２１０内には、信号処理回路基板９０が設置されており、信号処理回路基板９０の開口部２０１側には、当該開口部２０１側に受波面１１が向くようにＵＶセンサ１０が実装されている。開口部２０１には、カバー部材４０が全面を覆うように設置されている。カバー部材４０は、透光性を有するガラス基板４１と、紫外線を通過させ可視光を反射する銀薄膜４２との二層構造からなり、銀薄膜４２が筐体２１０の内部側となるように配置される。【選択図】図１
2010101627.tif 000002
【特許請求の範囲】
【請求項１】
紫外線に感応する紫外線感応素子と、
前記紫外線感応素子を覆うカバー部材と、を備えた紫外線測定装置であって、
該カバー部材は、透光性を有する保護層と、前記紫外線を透過するとともに可視光を反射する周波数選択層とからなる、紫外線測定装置。
【請求項２】
前記保護層はガラス基板であり、前記周波数選択層は前記ガラス基板の少なくとも一面に形成された銀薄膜である、請求項１に記載の紫外線測定装置。
【請求項３】
前記周波数選択層は、前記保護層の前記紫外線感応素子側にのみ形成されている請求項２に記載の紫外線測定装置。
【請求項４】
前記紫外線感応素子は、可視光に対しても感応するダイオードまたはフォトダイオードからなる請求項１〜３のいずれかに記載の紫外線測定装置。
【請求項５】
前記紫外線感応素子を内装し、該紫外線感応素子に対して外部から光を照射させるための開口部を備えた筐体を備え、
前記カバー部材は、前記開口部の開口面を完全に覆うように設置されている請求項１〜請求項４のいずれかに記載の紫外線測定装置。
【請求項６】
前記筐体内に、前記カバー部材を透過した紫外線を前記紫外線感応素子の受波面に集光する集光部材を備えた、請求項５に記載の紫外線測定装置。
【請求項７】
請求項５または請求項６に記載の紫外線測定装置を備えるとともに、
前記紫外線感応素子による前記紫外線の受波量に応じた紫外線検出信号を出力する信号処理回路と、該紫外線検出信号のレベルに応じた通知を外部へ行う通知部と、前記紫外線感応素子、前記信号処理回路および前記通知部に対して電力供給を行う電源部とが前記筐体に設置され、
前記カバー部材が鏡部であるコンパクトケース。
【請求項８】
請求項５または請求項６に記載の紫外線測定装置を備えるとともに、
前記紫外線感応素子による前記紫外線の受波量に応じた紫外線検出信号を出力する信号処理回路と、該紫外線検出信号のレベルに応じた通知を行う外部へ行う通知部と、前記紫外線感応素子、前記信号処理回路および前記通知部に対して電力供給を行う電源部とが前記筐体に設置された電子機器。
【発明の詳細な説明】
【技術分野】
【０００１】
この発明は、紫外線照射量を測定する紫外線測定装置、該紫外線測定装置を備えたコンパクトケースおよび電子機器に関するものである。
【背景技術】
【０００２】
従来、ＵＶ（紫外線）センサを内蔵した各種の製品が市場に存在する。例えば、屋外に持ち運び単純にＵＶ量を測定するだけ装置や、携帯電話機に内蔵されたもの等が存在する。
【０００３】
このような各種製品に内蔵されているＵＶセンサは、紫外線のみに対して十分な感度を有する素子が殆ど無く、一般的にＳｉフォトダイオードやＧａＡｓＰダイオードのように可視光を含む幅広い周波数帯域に対して所定の感度を有する可視光検出素子を用いている。
【０００４】
このため、従来の紫外線測定装置では、特許文献１に示すように、当該可視光検出素子とともに、紫外線通過フィルタ、および、紫外線を可視光に周波数変換する蛍光体を備える。この際、図６に示すように、可視光検出素子１、蛍光体２、紫外線通過フィルタ３が配置される。図６は、従来の紫外線測定装置１００の主要構成を示す断面図である。
【０００５】
図６に示すように、可視光検出素子１は、携帯電話機等の実装回路基板９００に実装された信号処理回路基板９０上に実装されている。この際、可視光検出素子１は、受波面１１が筐体１１０の開口部１０１により開口される領域内となるように配置されている。
【０００６】
このような構成において、蛍光体２は可視光検出素子１の受波面１１側に設置され、紫外線通過フィルタ３は、当該蛍光体２の可視光検出素子１と反対側に設置される。
【０００７】
さらに、このような構成の紫外線測定装置１００では、可視光検出素子１や信号処理回路基板９０上の各回路素子等を外部からの塵や埃等から保護するために、開口部１０１にカバー部材４が設置されている。
【特許文献１】特公平５−３５９７６号公報
【発明の開示】
【発明が解決しようとする課題】
【０００８】
しかしながら、図６に示したような従来の紫外線測定装置１００では、紫外線の測定機能に直接関係しない保護用のカバー部材４を必要とする。このため、紫外線測定装置１００を構成する構成部品数が多くなってしまう。また、カバー部材４は、筐体１１０内に光を透過させなければならないので、透明な素材や半透明な素材で形成しなければならない。このため、外部から当該開口部１０１を見ると紫外線通過フィルタ３、蛍光体２、可視光検出素子１はもとより、信号処理回路基板９０や実装回路基板９００まで見えてしまい、デザイン性を損なってしまう。
【０００９】
本発明の目的は、デザイン性を損なうことなく且つ紫外線測定性能を不要に低下させることのない簡素な構造の紫外線測定装置を実現することにある。
【課題を解決するための手段】
【００１０】
この発明は、紫外線に感応する紫外線感応素子と、紫外線感応素子を覆うカバー部材と、を備えた紫外線測定装置に関するものである。この紫外線測定装置のカバー部材は、透光性を有する保護層と、紫外線を透過するとともに可視光を反射する周波数選択層とを備えている。
【００１１】
この構成では、カバー部材が、紫外線感応素子（ＵＶセンサ）を外部環境から保護する機能を有するとともに、紫外線感応素子へ紫外線のみを照射させる。すなわち、カバー部材で可視光が反射されるので、当該カバー部材における紫外線感応素子と対向する側からは、紫外線感応素子が見えなくなるが、紫外線は紫外線感応素子で受波される。
【００１２】
また、この発明の紫外線測定装置では、保護層はガラス基板であり、周波数選択層はガラス基板の少なくとも一面に形成された銀薄膜である。
【００１３】
この構成では、具体的にカバー部材は、ガラス基板と該ガラス基板に蒸着等により形成された銀（Ａｇ）薄膜とからなる。ここで、銀は図７に示す反射特性を有する。図７は銀（Ａｇ）および金（Ａｕ）、銅（Ｃｕ）の反射特性を示す特性図である。この図７に示すように、銀は、紫外線より長波長である可視光等を略全反射し、紫外線を透過する性質を有する。このように、銀が可視光を反射して紫外線を透過するので、当該構成を用いれば、紫外線感応素子を外部から見えなくしながら、紫外線感応素子へ紫外線のみを確実に照射させることができる。
【００１４】
また、この発明の紫外線測定装置では、周波数選択層である銀は、保護層の紫外線感応素子側にのみ形成されている。
【００１５】
この構成では、カバー部材は、使用者側から順にガラス基板、銀の順で層状化されることとなり、一般的な銀鏡と同様な構造を用いることができる。これにより、カバー部材を容易に形成することができる。さらに、このカバー部材の部分を、まさに鏡として利用することもできる。
【００１６】
また、この発明の紫外線測定装置の紫外線感応素子は、可視光に対しても感応するダイオードまたはフォトダイオードからなる。
【００１７】
この構成では、特殊な受波特性を有する紫外線感応素子を用いることなく、一般的に用いられているダイオードやフォトダイオードを用いても、紫外線感応素子で確実に紫外線のみを受波することができる。
【００１８】
また、この発明の紫外線測定装置は、紫外線感応素子を内装し、該紫外線感応素子に対して外部から光を照射させるための開口部を備えた筐体を備える。そして、カバー部材は、開口部の開口面を完全に覆うように設置されている。
【００１９】
この構成では、カバー部材が紫外線感応素子を内装する筐体の開口部に形成されているので、筐体外部の環境から紫外線感応素子を保護することができるとともに、外部から紫外線感応素子等を見えなくすることができる。この際、紫外線は、確実に紫外線感応素子へ伝搬される。
【００２０】
また、この発明の紫外線測定装置は、筐体内に、カバー部材を透過した紫外線を紫外線感応素子の受波面に集光する集光部材を備えている。
【００２１】
この構成では、カバー部材を透過した紫外線が集光部材により紫外線感応素子へ集められるので、高感度な紫外線測定装置を実現することができる。
【００２２】
また、この発明のコンパクトケースは、上述の紫外線測定装置を備える。このコンパクトケースは、紫外線感応素子による紫外線の受波量に応じた紫外線検出信号を出力する信号処理回路と、該紫外線検出信号のレベルに応じた通知を外部へ行う通知部と、紫外線感応素子、前記信号処理回路および通知部に対して電力供給を行う電源部とが筐体に設置されている。そして、このコンパクトケースでは、カバー部材が鏡部となる。
【００２３】
この構成では、コンパクトケースに元々備えられている鏡を紫外線測定装置のカバー部材に兼用し、コンパクトケース内に紫外線感応素子等を収納することで、外観的な付加やデザイン性を低下させることなく、単なるコンパクトケースとして利用するだけでなく、紫外線測定装置としても利用することができる。この際、測定した紫外線量に応じて通知部から紫外線照射情報を提供できるようにすることで、紫外線量に応じた化粧品（例えば、カバー力強化指数の異なる化粧品等）の選択情報も提供できる。
【００２４】
また、この発明の電子機器は、上述の紫外線測定装置を備える。この電子機器は、紫外線感応素子による紫外線の受波量に応じた紫外線検出信号を出力する信号処理回路と、該紫外線検出信号のレベルに応じた通知を行う外部へ行う通知部と、紫外線感応素子、信号処理回路および通知部に対して電力供給を行う電源部とが筐体に設置されている。
【００２５】
この構成では、例えば携帯電話や携帯端末装置のように屋外へ持ち運ぶことがある電子機器に対して、紫外線測定装置を備えさせることで、上述のコンパクトケースと同様にデザイン性を低下させることなく紫外線測定装置として機能させ、紫外線照射情報を提供することができる。この際、これらの電子機器は、バッテリを通常に備えているので、当該バッテリを紫外線測定装置の電源部として利用することができる。また、画素数の多い表示部を利用できるので、より詳細で豊富な紫外線測定結果に応じた情報を容易に提供することができる。
【発明の効果】
【００２６】
この発明によれば、確実に紫外線のみの照射量を測定する紫外線測定装置を、簡素な構造で実現することができる。さらに、これに伴い、紫外線測定装置や、当該紫外線測定装置が装着されたコンパクトケースや各種電子機器のデザイン性を低下させることなく、紫外線測定機能を実現することができる。
【発明を実施するための最良の形態】
【００２７】
本発明の第１の実施形態に係る紫外線測定装置について図を参照して説明する。
図１（Ａ）は本実施形態の紫外線測定装置の主要構成を示す斜視図であり、筐体を除いた状態を示し、図１（Ｂ）は筐体を含む紫外線測定装置の断面図であり、図１（Ｃ）は紫外線および可視光の透過、反射の状態を示す。
【００２８】
紫外線測定装置２００は、開口部２０１が形成された筐体２１０を有する。筐体２１０内には、平板形状の誘電体基板からなる信号処理回路基板９０が設置されている。当該信号処理回路基板９０の開口部２０１側の実装面には、ＵＶセンサ（本発明の「紫外線感応素子」に相当する。）１０が実装されており、当該ＵＶセンサ１０は、受波面１１が開口部２０１側に向くように実装されている。信号処理回路基板９０には、ＵＶセンサ１０とともに、信号処理回路素子９３、電池ホルダ９１等が実装されている。信号処理回路素子９３は、信号処理回路基板９０を介してＵＶセンサ１０に接続する。また、電池ホルダ９１は、信号処理回路基板９０を介して、ＵＶセンサ１０および信号処理回路素子９３に接続する。電池ホルダ９１には電池９２が装着され、当該電池９２からＵＶセンサ１０および信号処理回路素子９３に電力が供給される。このような構成により、ＵＶセンサ１０が紫外線を受波すると、ＵＶセンサ１０から受波レベルに応じた検出信号が信号処理回路素子９３へ出力される。信号処理回路素子９３は、ＵＶセンサ１０からの検出信号に対して増幅処理等の信号処理を行うことで、紫外線測定装置２００として所望とする信号を出力する。この出力信号は、図示しない紫外線測定結果を解析、表示するモジュール等に供給される。例えば、紫外線測定結果を解析、表示するモジュールであれば、当該モジュールは信号処理回路素子９３からの出力信号を用いて照射紫外線量を算出して表示したり、当該照射紫外線量に基づく注意情報等を表示する。
【００２９】
このような回路構成を有する本実施形態の紫外線測定装置２００は、次に示す構造的特徴を有する。
【００３０】
筐体２１０の開口部２０１は、ＵＶセンサ１０に受波面１１よりも広い開口面積を有する。開口部２０１には、当該開口部２０１の全面を覆う形状からなるカバー部材４０が設置されている。カバー部材４０は、可視光および紫外線に対する透光性を有するガラス基板４１と、銀薄膜４２との二層構造からなる。カバー部材４０は、銀薄膜４２がＵＶセンサ１０側（筐体２００の内部側）となりガラス基板４１が筐体２００の外部側となるように配置されている。このような構造とすることで、カバー部材４０は銀鏡と同じ機能を有するものとなる。この際、銀薄膜４２は、上述の図７に示したように、可視光は反射するものの紫外線は透過するといった周波数選択性をもった層であるので、筐体２００内に設置されたＵＶセンサ１０には紫外線のみが照射される。これにより、カバー部材４０により、ＵＶセンサ１０を含む筐体２００内部の各種電子部品を外部環境から保護しながら、ＵＶセンサ１０で照射させる紫外線を検出し、且つ、ＵＶセンサ１０を含む筐体２００内部の構造を外部から見えなくすることができる。この結果、デザイン性を低下させることなく、正確に紫外線照射量のみを測定できる紫外線測定装置を実現することができる。
【００３１】
なお、上述の説明では、ＵＶセンサ１０を用いた例を示したが、カバー部材４０により紫外線のみが筐体２００内に照射されるので、紫外線領域のみでなく可視光領域をも含んで照射量を検出できる広帯域のセンサを用いることもできる。このようなセンサを用いる場合、従来例に示したように、紫外線フィルタが必須構成要件になるが、本実施形態の構成を用いることで、外部環境に対する保護機能と紫外線のみを通過させる周波数選択機能とがカバー部材４０のみで実現できるので、紫外線測定装置の構成部品数を少なくできるとともに、小型化（薄型化）することもできる。
【００３２】
また、上述の説明では、信号処理回路基板９０のＵＶセンサ１０実装側に信号処理回路素子９３を実装する例を示したが、当該信号処理回路素子９３は、ＵＶセンサ１０実装側に対する反対側の実装面に実装してもよい。すなわち、ＵＶセンサ１０のみは、信号処理回路基板９０の開口部２０１側に実装しなければならないが、他の電子部品や構成要素は実装面を限定する必要はない。
【００３３】
また、上述の説明では、信号処理回路基板９０を誘電体基板で構成する例を示したが、当該誘電体基板であっても内部に電子回路素子を内装する積層回路基板であってもよく、さらには、ポリミドフィルム等により形成されるフレキシブル基板を用いても良い。また、紫外線測定装置としてカバー部材とＵＶセンサと簡素な外部出力用の回路基板のみからなる構成として、信号処理回路素子等の機能を外部接続する他の装置に搭載するようにしても良い。
【００３４】
また、上述の説明では、銀薄膜を利用する例を示したが、可視光を反射し、紫外線を透過する素材であれば、他の素材を用いても良い。
【００３５】
また、上述の説明では、電池を用いた例を示したが、外部から電力供給を受ける電源ケーブルを備えて、外部供給電力により駆動するようにしても良い。
【００３６】
また、上述の説明では、カバー部材４０にＵＶセンサ１０の受波面１１が当接する例を示したが、カバー部材４０と受波面１１とを離間し、これらの間に紫外線を屈折する屈折層を設けるようにしてもよい。この際、屈折層は、カバー部材４０を透過した紫外線がＵＶセンサ１０の受波面１１に集光されるような構造にすれば良い。
【００３７】
次に、第２の実施形態に係る紫外線測定装置について図を参照して説明する。
【００３８】
図２（Ａ）は本実施形態の紫外線測定装置の主要構成を示す平面図であり、図２（Ｂ）は側面断面図である。また、図２（Ｂ）には、可視光と紫外線の透過・反射状態も示す。
【００３９】
図２に示す紫外線測定装置３００は、球体を一平面で切断したような形状からなる半球型筐体３１０Ａと、所定厚みを有する平板型筐体３１０Ｂの二つの筐体が一体化された筐体を有する。当該筐体は中空形状であり、半球型筐体３１０Ａの内部にはＵＶセンサ１０が設置され、平板型筐体３１０Ｂの内部には電池ホルダ９１、電池９２、信号処理回路素子９３が設置されている。また、半球状筐体３１０Ａから平板型筐体３１０Ｂに亘って、回路電極が形成されたフレキシブル基板９０Ｆが設置されている。フレキシブル基板９０Ｆは、半球型筐体３１０Ａ内のＵＶセンサ１０と、平板型筐体３１０Ｂ内の信号処理回路素子９３および電池ホルダ９１とを電気的に接続する。
【００４０】
半球型筐体３１０Ａは、前記切断面に対応する平面壁と、球体の曲面に対応する曲面壁とからなり、平面壁は、ほぼ全面が開口されており、当該開口部３０１には、カバー部材４０が全面を覆うように設置されている。カバー部材４０は、第１の実施形態と同様に、透光性を有するガラス基板４１と銀薄膜４２との二層構造からなり、半球型筐体３１０Ａの内部側に銀薄膜４２が配置されるように設置されている。
【００４１】
銀薄膜４２のガラス基板４１と反対側の面には、接着剤９４を用いてフレキシブル基板９０Ｆが固定設置されている。この際、接着剤９４は、少なくとも紫外線と透過する素材により形成されるとなお良い。
【００４２】
フレキシブル基板９０Ｆは、上述のように、半球型筐体３１０Ａから平板型筐体３１０Ｂに亘る長尺形状からなる。この際、フレキシブル基板９０Ｆは、ＵＶセンサ１０と信号処理回路素子９３および電池ホルダ９１とを電気的に接続可能な最小限度の形状で形成すると良い。また、このフレキシブル基板９０Ｆも、接着剤９４と同様に、少なくとも紫外線を通過する素材により形成されるとなお良い。
【００４３】
フレキシブル基板９０Ｆの銀薄膜４２と反対の面には、ＵＶセンサ１０が実装されている。この際、ＵＶセンサ１０は受波面１１がフレキシブル基板９０Ｆ側と反対側になるように、すなわち半球型筐体３１０Ａの曲面壁側を向くように実装される。また、ＵＶセンサ１０は、半球型筐体３１０Ａを開口部３０１側から見た当該開口部３０１の略中央に配置されるように実装される。
【００４４】
半球型筐体３０１Ａを曲面壁の内面には、アルミニウム等の紫外線を反射する材質からなる反射膜５０が形成されている。ここで、曲面壁の内面は、カバー部材４０を介して半球状筐体３０１Ａ内に入射された紫外線が反射膜５０で反射して、ＵＶセンサ１０に集光されるような形状に形成されている。
【００４５】
このような構造とすることで、図２（Ｂ）に示すように、開口部３０１から光が入射すると、可視光以上の波長からなる光はカバー部材４０の銀薄膜４２で反射され、紫外線は銀薄膜４２を透過して反射膜５０で反射されて集中的にＵＶセンサ１０で受波される。これにより、より効率良く紫外線測定を行うことができる。この際、信号処理回路素子９３および電池ホルダ９１等のＵＶセンサ１０以外の素子を、半球状筐体３０１Ａ内に配置しないことで、開口部３０１から入射した紫外線が，前記ＵＶセンサ１０以外の素子により遮光されないので、より効率良く紫外線測定を行うことができる。
【００４６】
なお、上述の説明では、フレキシブル基板９０Ｆを用いた例を示したが、銀薄膜４２の表面に絶縁層を設けた上で、ＩＴＯ等の透明電極を形成し、当該透明電極上にＵＶセンサ１０を実装するようにしても良い。
【００４７】
また、上述の説明では、球体を切断した半球形状の筐体を用いた例を示したが、楕円球体等であっても、ＵＶセンサ１０への集光を行える形状のものであれば、半球形状に限る必要はない。
【００４８】
次に、第３の実施形態に係る紫外線測定装置を用いたコンパクトケースについて説明する。
【００４９】
図３（Ａ）は本実施形態のコンパクトケースの概略の外観斜視図であり、図３（Ｂ）は当該コンパクトケースの主要構成を示す構成図である。
【００５０】
図３に示すように、本実施形態のコンパクトケース４００は、鏡として用いられる第１筐体４１０Ａと、ファンデーション等の化粧品４１１を格納することを主機能とする第２筐体４１０Ｂとが、ヒンジ４１０Ｃにより回動可能に接続されてなる。
【００５１】
第１筐体４１０Ａは略円板形状を成し、第１の実施形態の紫外線測定装置と同様に、内部にＵＶセンサ１０、信号処理回路基板９０、信号処理回路素子９３、および電池９２が装着された電池ホルダ９１を有し、開口部にカバー部材４０を備える。これら構成部材の設置位置関係や接続関係は、第１の実施形態と同じであるか類似する構造であるので、説明は、省略する。
【００５２】
カバー部材４０は、ガラス基板４１と銀薄膜４２との二層構造からなり、銀鏡として機能する。すなわち、このカバー部材４０が、紫外線を選択して透過させる機能を有するとともに、コンパクトケース４００の鏡として機能する。
【００５３】
このため、本実施形態のコンパクトケース４００のような元々鏡が必須構成である製品であれば、新たな紫外線選択部材を必要とすることなく、紫外線測定装置としての機能を付け加えることができる。この際、紫外線測定に関する機能部としては、外観的になにも変化させる必要がないので、デザイン性を低下させることなく、コンパクトケースに紫外線測定機能を追加することができる。
【００５４】
なお、本実施形態では図示していないが、第１筐体４１０Ａや第２筐体４１０Ｂに、ＬＥＤ等からなる簡素な構造の表示器を設置することで、ＵＶセンサ１０で受波して得られた紫外線量を信号処理回路素子９３等で解析し、取得した紫外線量に応じた注意表示等を行うことができる。これにより、コンパクトケース４００のような化粧器具であれば、紫外線量に応じた化粧品の情報提供も行うことができる。
【００５５】
次に、第４の実施形態に係る紫外線測定機能を備えた電子機器の構成について図を参照して説明する。
【００５６】
図４は紫外線測定機能を備えた電子機器としての携帯電話機を例にした主要構成図であり、図４（Ａ）は携帯電話機５００の表面図、図４（Ｂ）は携帯電話機５００の側面断面図、図４（Ｃ）は携帯電話機５００の裏面図を示す。
【００５７】
携帯電話機５００は、平板形状の筐体５１０を有し、表面にＬＣＤ等からなる表示モジュール５１２と、ユーザの操作入力を受け付ける複数の操作子５１４とが配置されている。これらの表示モジュール５１２や各操作子５１４は、メインモジュール基板５１１に実装されたり、タクトスイッチ等を介して接続されている。メインモジュール基板５１１には、図示しない各種の電子回路素子が実装または内装されており、携帯電話機５００としてのアプリケーション実行処理を実現する。
【００５８】
筐体５１０の裏面側には携帯電話機５００としての電池部５１３（二次電池パックと電池接続部材）が内装されており、当該電池部５１３からメインモジュール基板５１１等に電力が供給される。
【００５９】
また、筐体５１０の裏面側には、開口部が形成されており、当該開口部にカバー部材４０が設置されている。カバー部材４０は、上述の各実施形態と同じようにガラス基板４１と銀薄膜４２との二層構造からなり、紫外線選択機能を有するとともに銀鏡として機能する。
【００６０】
さらに、筐体５１０内におけるメインモジュール基板５１１の裏面側で、且つカバー部材４０に覆われる領域内には、ＵＶセンサ１０が設置されている。この際、ＵＶセンサ１０は、受波面１１が銀薄膜４２に当接するように設置されている。一方で、ＵＶセンサ１０は、紫外線観測結果に基づく信号を出力する信号処理回路素子９３等を備える信号処理回路基板９０に実装されており、この信号処理回路基板９０がメインモジュール基板５１１に実装される。このように、メインモジュール基板５１１に電気的に接続することで、信号処理回路基板９０を介して、ＵＶセンサ１０や信号処理回路素子９３は、携帯電話機５００の電池部５１３から電力供給を受けることができる。
【００６１】
このように、本実施形態の構成を用いることで、携帯電話機５００のデザイン性を低下させることなく、紫外線測定装置を携帯電話機５００に組み込むことができる。さらに、携帯電話機５００の電源を利用することで、紫外線測定装置としての電源を省略することができる。また、携帯電話機５００のメインモジュール基板５１１で実行されるアプリケションに紫外線観測機能のアプリケーションを備えさせることで、この観測結果を携帯電話機５００の表示部材５１２上に表示させることができる。これにより、紫外線測定装置として専用の表示部を用いる必要もなく、ユーザに紫外線観測結果を容易に提供することができる。
【００６２】
なお、上述の説明では、携帯電話機を例に示したが、図５に示すようにポータブル型のパーソナルコンピュータに紫外線測定装置としての機能を組み込むようにしても良い。
【００６３】
図５は、紫外線測定機能を備えたモバイルＰＣ（パーソナルコンピュータ）６００の概略外観図であり、図５（Ａ）はモバイルＰＣ６００を正面視した図であり、図５（Ｂ）はモバイルＰＣ６００の表示側筐体６１０Ａを背面視した図である。なお、以下では本実施形態で特徴的なカバー部材４０とＵＶセンサ１０の配置に関する箇所のみを説明する。
【００６４】
図５に示すように、モバイルＰＣ６００は、表示側筐体６１０Ａと操作側筐体６１０Ｂとが回動可能に接続されてなる。表示側筐体６１０Ａの表面側には液晶ディスプレイ等の表示モジュール６１１が設置されており、操作側モジュール６１０Ｂの表面側には複数の操作子６１２が設置されている。
【００６５】
そして、表示側筐体６１０Ａの裏面側は、所定の枠部の残して大きく開口されており、当該開口部にカバー部材４０が設置されている。カバー部材４０は、上述の各説明に記載のように、ガラス基板と銀薄膜との二層構造からなり、銀薄膜が筐体の内側になるように配置されている。表示側筐体６１０Ａ内のカバー部材４０によって覆われる領域の略中心には、ＵＶセンサ１０が設置されている。ＵＶセンサ１０は、図示しない信号処理回路基板へ実装され、信号処理回路基板はメインモジュール基板へ実装される。このように本発明の紫外線測定装置は、モバイルＰＣにも装備することができる。この際、デザイン性を低下させることなくモバイルＰＣへ紫外線測定機能を追加することができる。また、モバイルＰＣのように画素数の多い表示画面を有し、処理能力の高いＣＰＵを用いた電子機器に装備することで、紫外線観測結果をより高速に出力することができ、且つ当該紫外線観測結果に基づく、より豊富な情報を表示することができる。
【００６６】
なお、上述の説明では、携帯電話機およびモバイルＰＣを例に説明したが、ＰＤＡや携帯型ミュージックプレイヤ、歩数計等の他の携帯用電子機器にも当該構成を適用することができる。
【図面の簡単な説明】
【００６７】
【図１】第１の実施形態の紫外線測定装置の主要構成を筐体を除いた状態で示す斜視図、筐体を含む紫外線測定装置の断面図、紫外線および可視光の透過、反射の状態を示す図である。
【図２】第２の実施形態の紫外線測定装置の主要構成を示す平面図、および側面断面図である。
【図３】第３の実施形態のコンパクトケースの概略の外観斜視図、および当該コンパクトケースの主要構成を示す構成図である。
【図４】第４の実施形態に係る紫外線測定機能を備えた電子機器としての携帯電話機を例にした主要構成図である。
【図５】紫外線測定機能を備えたモバイルＰＣ６００の概略外観図である。
【図６】従来の紫外線測定装置１００の主要構成を示す断面図である。
【図７】銀（Ａｇ）および金（Ａｕ）、銅（Ｃｕ）の反射特性を示す特性図である。
【符号の説明】
【００６８】
１０−ＵＶセンサ、１１−受波面、４０−カバー部材、４１−ガラス基板、４２−銀薄膜、５０−反射膜、９０−信号処理回路基板、９０Ｆ−フレキシブル基板、９１−電池ホルダ、９２−電池、９３−信号処理回路素子、９４−接着剤、９００−実装回路基板、１００，２００，３００−紫外線測定装置、１０１，２０１−開口部、１１０，２１０−筐体、３１０Ａ−半球型筐体、３１０Ｂ−平板型筐体、４００−コンパクトケース、４１０Ａ−第１筐体、４１０Ｂ−第２筐体、４１１−化粧品、５００−携帯電話機、５１１−メインモジュール基板、５１２−表示モジュール、５１３−電池部、５１４−操作子、６００−モバイルＰＣ、６１０Ａ−表示側筐体、６１０Ｂ−操作側筐体、６１１−表示モジュール、６１２−操作子
【図１】
2010101627.tif 000003
【図２】
2010101627.tif 000004
【図３】
2010101627.tif 000005
【図４】
2010101627.tif 000006
【図５】
2010101627.tif 000007
【図６】
2010101627.tif 000008
【図７】
2010101627.tif 000009